(57)【特許請求の範囲】
【請求項１】
金属塩を含有する水を処理対象とする水処理装置であって、
上記水を搬送するポンプ（12）と、
上記ポンプ（12）から吐出される水が流れる水流路（20）と、
ガスを発生するガス発生装置（50）と、
上記ガス発生装置（50）で発生した上記ガスが流れるガス流路（60）と、
上記水が流入する液流入部（34）と、上記ガス流路（60）のガスを吸引するガス吸引部（36）とを有し、上記水流路（20）に接続されるエジェクタ（30）と、
上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）と
を備え、
上記動作切換手段は、上記液供給動作時に上記ポンプ（12）を停止させる停止手段（C）を有し、上記水流路（20）の水の水頭圧により該水をガス吸引部（36）に供給するように構成されることを特徴とする水処理装置。
【請求項２】
請求項１において、
上記エジェクタ（30）は、上記液流入部（34）が該エジェクタ（30）の上側に位置するように配置されることを特徴とする水処理装置。
【請求項３】
請求項１又は２において、
上記水流路（20）における上記エジェクタ（30）の下流側流路（22）に接続され、上記通常動作時に開状態となり、上記液供給動作時に閉状態となる第１開閉機構（14）を備えていることを特徴とする水処理装置。
【請求項４】
金属塩を含有する水を処理対象とする水処理装置であって、
上記水を搬送するポンプ（12）と、
上記ポンプ（12）から吐出される水が流れる水流路（20）と、
ガスを発生するガス発生装置（50）と、
上記ガス発生装置（50）で発生した上記ガスが流れるガス流路（60）と、
上記水が流入する液流入部（34）と、上記ガス流路（60）のガスを吸引するガス吸引部（36）とを有し、上記水流路（20）に接続されるエジェクタ（30）と、
上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）と
を備え、
上記動作切換手段は、
上記液供給動作時に上記ポンプ（12）を運転させる運転手段（C）と、
上記液供給動作時に上記水流路（20）の水が上記ガス流路（60）を介して上記ガス吸引部（36）に流れる流路を形成する第１流路切換部（70）と
を備えていることを特徴とする水処理装置。
【請求項５】
請求項４において、
上記第１流路切換部（70）は、
上記水流路（20）における上記エジェクタ（30）の上流側流路（21）と上記ガス流路（60）とを繋ぐ第１分流路（71）と、
上記第１分流路（71）に接続され、上記通常動作時に閉状態となり、上記液供給動作時に開状態となる第２開閉機構（72）と
を有していることを特徴とする水処理装置。
【請求項６】
金属塩を含有する水を処理対象とする水処理装置であって、
上記水を搬送するポンプ（12）と、
上記ポンプ（12）から吐出される水が流れる水流路（20）と、
ガスを発生するガス発生装置（50）と、
上記ガス発生装置（50）で発生した上記ガスが流れるガス流路（60）と、
上記水が流入する液流入部（34）と、上記ガス流路（60）のガスを吸引するガス吸引部（36）とを有し、上記水流路（20）に接続されるエジェクタ（30）と、
上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）と
を備え、
上記動作切換手段は、
上記液供給動作時に上記ポンプ（12）を運転させる運転手段（C）と、
上記液供給動作時に上記エジェクタ（30）の上記液流入部（34）に流入した水が上記ガス吸引部（36）、上記ガス流路（60）を介して、上記水流路（20）に流れる流路を形成する第２流路切換部（80）と
を備えていることを特徴とする水処理装置。
【請求項７】
請求項６において、
上記第２流路切換部（80）は、
上記ガス流路（60）と、上記水流路（20）における上記エジェクタ（30）の下流側流路（22）とを繋ぐ第２分流路（81）と、
上記下流側流路（22）における上記第２分流路（81）の接続端の上流側に接続され、上記通常動作時に開状態となり、上記液供給動作時に閉状態となる第３開閉機構（83）と
を有していることを特徴とする水処理装置。
【請求項８】
金属塩を含有する水を処理対象とする水処理装置であって、
上記水を搬送するポンプ（12）と、
上記ポンプ（12）から吐出される水が流れる水流路（20）と、
ガスを発生するガス発生装置（50）と、
上記ガス発生装置（50）で発生した上記ガスが流れるガス流路（60）と、
上記水が流入する液流入部（34）と、上記ガス流路（60）のガスを吸引するガス吸引部（36）とを有し、上記水流路（20）に接続されるエジェクタ（30）と、
上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）と
を備え、
上記動作切換手段は、少なくとも、上記ガス吸引部（36）で塩が析出したことを検出する析出検知手段（53）を有し、該析出検知手段（53）が塩の析出を検出すると上記液供給動作を実行させるように構成されることを特徴とする水処理装置。
【請求項９】
請求項１乃至８のいずれか１つにおいて、
上記動作切換手段は、上記通常動作の実行時間を計測するタイマ部（5）を有し、該タイマ部（5）で計測した運転時間が所定時間を越えると上記液供給動作を実行させるように構成されることを特徴とする水処理装置。
【発明の詳細な説明】
【技術分野】
【０００１】
本発明は、水処理装置に関するものである。
【背景技術】
【０００２】
所定の水を対象とする水処理装置が広く知られている。例えば特許文献１には、同文献の図１に記載のように、水を搬送するポンプと、ガス（例えばオゾン）を発生するガス発生装置と、ガス発生装置で発生したガスを吸引して水と混合させるエジェクタとを有する水処理装置が開示されている。
【０００３】
この水処理装置では、ポンプで搬送された水がエジェクタの液流入部より流入し、ノズル部で加速された後、液流出部より流出する。ガス発生装置で発生したガス（オゾン）は、加速された水を駆動液としてエジェクタのガス吸引部に吸引され、エジェクタ内で水と混合し水中に溶解する。
【先行技術文献】
【特許文献】
【０００４】
特開２０１４−６４９８２号公報
【発明の概要】
【発明が解決しようとする課題】
【０００５】
ところで、本願の発明者らは、特許文献１に記載のようなエジェクタ方式の水処理装置を、例えばナトリウムやカルシウム等の金属塩を含有する水に適用することを試みた。例えば金属塩を含有する水の代表例としては、海水が挙げられる。
【０００６】
しかし、本願の発明者らは、金属塩を含有する水を被処理水とした場合に、エジェクタのガス吸引部で塩（“えん”、以下同様とする）が析出してしまうという新たな課題をみいだした。即ち、本方式の水処理装置を連続して使用すると、例えば金属塩を含有する水がガス吸引部に飛散することで、ガス吸引部に水が付着してしまう可能性がある。ガス吸引部に付着した水が蒸発すると、この水に含まれたナトリウムやカルシウム等の金属塩（金属イオン）が塩として析出し、この塩が徐々に成長していく。この結果、ガス吸引部でのガスの流路面積が小さくなる、あるいはガス吸引部が閉塞してしまい、所望とする流量のガスを被処理水に導入できなくなる、という問題が生じた。
【０００７】
本発明は、かかる点に鑑みてなされたものであり、その目的は、エジェクタのガス吸引部において、金属塩を含有する水から析出した塩が肥大化することを防止できる水処理装置を提供することである。
【課題を解決するための手段】
【０００８】
第１の発明は、金属塩を含有する水を処理対象とする水処理装置を対象とし、該水を搬送するポンプ（12）と、該ポンプ（12）から吐出される水が流れる水流路（20）と、ガスを発生するガス発生装置（50）と、該ガス発生装置（50）で発生したガスが流れるガス流路（60）と、上記水が流入する液流入部（34）と、上記ガス流路（60）のガスを吸引するガス吸引部（36）とを有し、上記水流路（20）に接続されるエジェクタ（30）と、上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）とを備え、上記動作切換手段は、上記液供給動作時に上記ポンプ（12）を停止させる停止手段（C）を有し、上記水流路（20）の水の水頭圧により該水をガス吸引部（36）に供給するように構成されることを特徴とする。
【０００９】
第１の発明の水処理装置では、通常動作が行われる。通常動作では、ポンプ（12）で搬送された水が、水流路（20）を流れるエジェクタ（30）の液流入部（34）に流入する。この水は、エジェクタ（30）の内部で加速される。同時に通常動作では、ガス発生装置（50）からガスが発生する。このガスは、ガス流路（60）を流れ、エジェクタ（30）のガス吸引部（36）へ送られる。エジェクタ（30）の内部で水が加速されると、ガス吸引部（36）で負圧が生じ、ガス流路（60）のガスがガス吸引部（36）へ引き込まれる。エジェクタ（30）では、液流入部（34）から流入した水にガスが導入され、例えばこの水が浄化される。
【００１０】
エジェクタ（30）の内部で水が飛散すると、この水がガス吸引部（36）に付着することがある。水処理装置（10）は、金属塩を含有する水を処理対象としている。このため、ガス吸引部（36）に付着した水が蒸発すると、水に含まれた金属塩（金属イオン）が塩となって析出することがある。このような塩が徐々に肥大化すると、ガス吸引部（36）のガスの流路面積が小さくなる。あるいはガス吸引部（36）が閉塞してしまう。
【００１１】
これに対し、本発明は、上記通常動作と、水流路（20）の水をエジェクタ（30）のガス吸引部（36）に供給する液供給動作とを切り換える動作切換手段（C,5,53,70,80）を備えている。つまり、通常動作においてガス吸引部（36）で塩が析出した後、液供給動作が実行されると、水流路（20）の水がガス吸引部（36）に供給される。これにより、ガス吸引部（36）に析出した塩が水圧によって飛ばされたり、この水に溶解したりする。この結果、ガス吸引部（36）の塩を洗浄することができ、ガス吸引部（36）での塩の肥大化を防止できる。
【００１２】
第１の発明の液供給動作では、停止手段（C）がポンプ（12）を停止させる。これにより、水流路（20）で水が停滞する。この水の水頭圧により水流路（20）の水がガス吸引部（36）に供給される。この結果、ポンプ（12）を停止しながら、ガス吸引部（36）で析出した塩を洗浄できる。
【００１３】
第２の発明は、第１の発明において、上記エジェクタ（30）は、上記液流入部（34）が該エジェクタ（30）の上側に位置するように配置されることを特徴とする。
【００１４】
第２の発明では、エジェクタ（30）の上側に液流入部（34）が位置し、この液流入部（34）に上流側流路（21）が接続される。このため、エジェクタ（30）の内部では、上流側流路（21）に溜まった水の水頭圧を確実に作用させることができる。これにより、水流路（20）の水を確実にガス吸引部（36）に供給できる。
【００１５】
第３の発明は、上記水流路（20）における上記エジェクタ（30）の下流側流路（22）に接続され、上記通常動作時に開状態となり、上記液供給動作時に閉状態となる第１開閉機構（14）を備えていることを特徴とする。
【００１６】
第３の発明は、水流路（20）におけるエジェクタ（30）の下流側流路（22）に第１開閉機構（14）が接続される。通常動作では、エジェクタ（30）を流出した処理水が開状態の第１開閉機構（14）を通過する。これに対し、液供給動作では、第１開閉機構（14）がエジェクタ（30）の下流側流路（22）を閉鎖する。これにより、エジェクタ（30）及び上流側流路（21）では、エジェクタ（30）の下流側流路（22）の内圧の影響を受けることがない。従って、上流側流路（21）の水頭圧を利用して水を一層確実にガス吸引部（36）に供給できる。
【００１７】
第４の発明は、金属塩を含有する水を処理対象とする水処理装置を対象とし、該水を搬送するポンプ（12）と、該ポンプ（12）から吐出される水が流れる水流路（20）と、ガスを発生するガス発生装置（50）と、該ガス発生装置（50）で発生したガスが流れるガス流路（60）と、上記水が流入する液流入部（34）と、上記ガス流路（60）のガスを吸引するガス吸引部（36）とを有し、上記水流路（20）に接続されるエジェクタ（30）と、上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）とを備え、上記動作切換手段は、上記液供給動作時に上記ポンプ（12）を運転させる運転手段（C）と、上記液供給動作時に上記水流路（20）の水が上記ガス流路（60）を介して上記ガス吸引部（36）に流れる流路を形成する第１流路切換部（70）とを備えていることを特徴とする。
【００１８】
第４の発明の液供給動作では、運転手段（C）がポンプ（12）を運転させる。第１流路切換部（70）は、水流路（20）の水がガス流路（60）を介してガス吸引部（36）に流れる流路を形成する。これにより、ポンプ（12）によって搬送された水は、ガス流路（60）を流れた後、ガス吸引部（36）に供給され、塩の洗浄に利用される。
【００１９】
第５の発明は、第４の発明において、上記第１流路切換部（70）は、上記水流路（20）における上記エジェクタ（30）の上流側流路（21）と上記ガス流路（60）とを繋ぐ第１分流路（71）と、該第１分流路（71）に接続され、上記通常動作時に閉状態となり、上記液供給動作時に開状態となる第２開閉機構（72）とを備えていることを特徴とする。
【００２０】
第５の発明では、通常動作において、第２開閉機構（72）が閉状態となる。従って、上流側流路（21）の水は、第１分流路（71）に分流せず、エジェクタ（30）を流れ、ガス吸引部（36）に吸引されたガスと混合する。液供給動作では、第２開閉機構（72）が開状態となる。このため、上流側流路（21）の水は、一部が第１分流路（71）に分流し、残りがエジェクタ（30）の液流入部（34）に流入する。第１分流路（71）に分流した水は、開状態の第２開閉機構（72）を通過する。第１分流路（71）の水は、ガス流路（60）を経由してガス吸引部（36）に供給され、塩の洗浄に利用される。
【００２１】
第６の発明は、金属塩を含有する水を処理対象とする水処理装置を対象とし、該水を搬送するポンプ（12）と、該ポンプ（12）から吐出される水が流れる水流路（20）と、ガスを発生するガス発生装置（50）と、該ガス発生装置（50）で発生したガスが流れるガス流路（60）と、上記水が流入する液流入部（34）と、上記ガス流路（60）のガスを吸引するガス吸引部（36）とを有し、上記水流路（20）に接続されるエジェクタ（30）と、上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）とを備え、上記動作切換手段は、上記液供給動作時に上記ポンプ（12）を運転させる運転手段（C）と、上記液供給動作時に上記エジェクタ（30）の液流入部（34）に流入した水が上記ガス吸引部（36）、上記ガス流路（60）を介して、上記水流路（20）に流れる流路を形成する第２流路切換部（80）とを備えていることを特徴とする。
【００２２】
第６の発明の液供給動作では、運転手段（C）がポンプ（12）を運転させる。第２流路切換部（80）は、エジェクタ（30）の液流入部（34）に流入した水がガス吸引部（36）、ガス流路（60）を介して水流路（20）に流れる流路を形成する。これにより、ポンプ（12）によって搬送された水は、エジェクタ（30）の内部からガス吸引部（36）を逆流し、塩の洗浄に利用される。
【００２３】
第７の発明は、第６の発明において、上記第２流路切換部（80）は、上記ガス流路（60）と、上記水流路（20）における上記エジェクタ（30）の下流側流路（22）とを繋ぐ第２分流路（81）と、上記下流側流路（22）における上記第２分流路（81）の接続端の上流側に接続され、上記通常動作時に開状態となり、上記液供給動作時に閉状態となる第３開閉機構（83）とを有していることを特徴とする。
【００２４】
第７の発明では、通常動作において、第３開閉機構（83）が開状態となる。従って、エジェクタ（30）を流出した水は、開状態の第３開閉機構（83）を通過し、下流側流路（22）を流出する。液供給動作では、第３開閉機構（83）が閉状態となる。従って、エジェクタ（30）の内部の水は、液流出部（39）から下流側流路（22）へ流出せず、ガス吸引部（36）、ガス流路（60）を順に通過し、第２分流路（81）を流れる。これにより、エジェクタ（30）に流入した水の全量が、塩の洗浄に利用される。
【００２５】
第８の発明は、金属塩を含有する水を処理対象とする水処理装置を対象とし、該水を搬送するポンプ（12）と、該ポンプ（12）から吐出される水が流れる水流路（20）と、ガスを発生するガス発生装置（50）と、該ガス発生装置（50）で発生したガスが流れるガス流路（60）と、上記水が流入する液流入部（34）と、上記ガス流路（60）のガスを吸引するガス吸引部（36）とを有し、上記水流路（20）に接続されるエジェクタ（30）と、上記水が上記エジェクタ（30）の上記液流入部（34）に流入すると同時に上記ガスがガス吸引部（36）に吸引される通常動作と、上記水流路（20）の水をエジェクタ（30）の上記ガス吸引部（36）に供給する液供給動作とを切り換える動作切換手段（C,5,53,70,80）とを備え、上記動作切換手段は、少なくとも、上記ガス吸引部（36）で塩が析出したことを検出する析出検知手段（53）を有し、該析出検知手段（53）が塩の析出を検出すると上記液供給動作を実行させるように構成されることを特徴とする。
【００２６】
第８の発明では、析出検知手段（53）がガス吸引部（36）で塩が析出したことを検出すると、動作切換手段が液供給動作を実行させる。これにより、ガス吸引部（36）での塩の肥大化を防止できる。
【００２７】
第９の発明は、第１乃至第８のいずれか１つの発明において、上記動作切換手段は、上記通常動作の運転時間を計測するタイマ部（5）を有し、該タイマ部（5）で計測した運転時間が所定時間を越えると上記液供給動作を実行させるように構成されることを特徴とする。
【００２８】
第９の発明では、タイマ部（5）によって計測された通常動作の実行時間が所定時間を越えると、動作切換手段が液供給動作を実行する。これにより、ガス吸引部での塩の肥大化を防止できる。
【発明の効果】
【００２９】
本発明によれば、液供給動作により、水流路（20）の水をエジェクタ（30）のガス吸引部（36）に供給できるため、水流路（20）の水を利用して塩を洗い流すことができる。この結果、ガス吸引部（36）のガスの流路面積が小さくなったり、ガス吸引部（36）が閉塞したりすることを速やかに解消でき、所望とする濃度のガスを水中へ導入できる。
【００３０】
また、本発明によれば、ガス吸引部（36）に他の固形物（例えば魚の糞やゴミ等）が詰まった場合に、この固形物を液供給動作により飛ばすことができ、ガス吸引部（36）の閉塞を解消できる。
【００３１】
第１の発明では、液供給動作において、ポンプ（12）を停止し水の水頭差を利用して水をガス吸引部（36）へ供給している。従って、液供給動作に必要な構成の簡素化、液供給動作の操作の簡素化を図ることができ、ひいては水処理装置の低コスト化を図ることができる。また、液供給動作では、ポンプ（12）を運転せずとも、塩を洗浄でき、省エネ性の向上を図ることができる。特に、第２の発明では、エジェクタ（30）の液流入部（34）を上側に配置しているため、上流側流路（21）に留まった水の水頭圧を利用して多量の水を確実にガス吸引部（36）に導入できる。この結果、塩の洗浄能力が向上する。
【００３２】
第３の発明では、液供給動作時において、下流側流路（22）の第１開閉機構（14）を閉状態とするため、エジェクタ（30）及び上流側流路（21）において、エジェクタ（30）の下流側の水の圧力の影響を受けることがない。従って、上流側流路（21）の水頭圧を利用して、ガス吸引部（36）に一層確実に水を供給できる。
【００３３】
第４〜第７の発明では、液供給動作において、ポンプ（12）を運転させることで、比較的高い圧力の水をガス吸引部（36）に供給できる。この結果、ガス吸引部（36）の塩の洗浄効果を増大できる。
【００３４】
第４及び第５の発明では、水流路（20）の水をガス流路（60）とエジェクタ（30）の液流入部（34）とに分流させ、ガス吸引部（36）の塩を洗浄できる。これにより、各流路を流れる水の圧力損失の増大を抑制でき、ポンプ動力を低減できる。
【００３５】
第６及び第７の発明では、エジェクタ（30）内に導入した水の全量が、ガス吸引部（36）の塩の洗浄に利用される。これにより、比較的高速ないし大流量の水により塩を洗浄でき、この塩の洗浄効果を更に向上できる。
【００３６】
第８の発明では、ガス吸引部（36）における塩の析出が検出されると、液供給動作を実行するため、ガス吸引部（36）での塩の肥大化や閉塞を未然に回避できる。第９の発明では、通常運転の実行時間が所定時間を越えると、液供給動作を行うので、比較的単純な構成により、ガス吸引部（36）での塩の肥大化や閉塞を未然に回避できる。
【図面の簡単な説明】
【００３７】
【図１】図１は、実施形態１に係る水処理装置の全体構成を示す配管系統図であり、通常動作を表したものである。
【図２】図２は、実施形態１に係る水処理装置のエジェクタ、及びその近傍を拡大した縦断面図であり、通常動作を表したものである。
【図３】図３は、実施形態１に係る水処理装置のエジェクタ、及びその近傍を拡大した縦断面図であり、ガス吸引部が塩によって閉塞された一例を表したものである。
【図４】図４は、実施形態１に係る水処理装置の全体構成を示す配管系統図であり、液供給動作を表したものである。
【図５】図５は、実施形態１に係る水処理装置のエジェクタ、及びその近傍を拡大した縦断面図であり、液供給動作を表したものである。
【図６】図６は、実施形態２に係る水処理装置の全体構成を示す配管系統図であり、通常動作を表したものである。
【図７】図７は、実施形態２に係る水処理装置の全体構成を示す配管系統図であり、液供給動作を表したものである。
【図８】図８は、実施形態３に係る水処理装置の全体構成を示す配管系統図であり、通常動作を表したものである。
【図９】図９は、実施形態３に係る水処理装置の全体構成を示す配管系統図であり、液供給動作を表したものである。
【図１０】図１０は、その他の実施形態に係る水処理装置の全体構成を示す配管系統図である。
【発明を実施するための形態】
【００３８】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３９】
《発明の実施形態１》
本発明の実施形態１に係る水処理装置（10）は、処理対象である被処理水にガスを導入するように構成される。被処理水は、金属塩が含有ないし溶解された水である。本実施形態の被処理水は、水槽に供給される海水である。被処理水に含まれる金属塩としては、例えばナトリウムイオン、マグネシウムイオン、カルシウムイオン、カリウムイオン、ストロンチウムイオン、リン酸イオンのうちの１種、又は２種以上が挙げられる。本実施形態の被処理水である海水には、高濃度（例えば約１．０質量％以上）のナトリウムイオンが含まれている。
【００４０】
本実施形態では、被処理水に導入されるガスとしてオゾンが用いられる。被処理水にオゾンが混入・溶解することで、被処理水中の浄化対象成分が酸化・分解され、被処理水が清浄化される。
【００４１】
〈水処理装置の全体構成〉
図１に示すように、水処理装置（10）は、水ライン（L1）と、ガスライン（L2）と、制御部（C）とを有している。水ライン（L1）は、海水（以下、単に水ともいう）が流れる流路である。ガスライン（L2）は、オゾンが流れる流路である。
【００４２】
〔水ライン〕
水ライン（L1）には、その上流側から下流側に向かって順に、貯留部（11）、ポンプ（12）、及びエジェクタ（30）が接続される。水ライン（L1）では、ポンプ（12）の吐出部から水ライン（L1）の流出端までの流路が、水流路（20）を構成している。つまり、水流路（20）では、ポンプ（12）から吐出される水が流れる。
【００４３】
水流路（20）では、ポンプ（12）の吐出部からエジェクタ（30）の液流入部（34）までに亘る上流配管（21）が上流側流路を構成している。水流路（20）では、エジェクタ（30）の液流出部（39）から水ライン（L1）の流出端までに亘る下流配管（22）が下流側流路を構成している。
【００４４】
貯留部（11）は、その内部に被処理水（海水）を貯留する。
【００４５】
ポンプ（12）は、貯留部（11）内の被処理水を汲み上げ、汲み上げた被処理水を上流配管（21）へ吐出する。
【００４６】
エジェクタ（30）は、水流路（20）に接続されている。エジェクタ（30）は、被処理水にオゾンを導入し、被処理水を浄化する。
【００４７】
上流配管（21）には、第１逆止弁（13）が接続される。第１逆止弁（13）は、ポンプ（12）からエジェクタ（30）へ向かう方向への水の流れを許容し、その逆の方向の流れを禁止する。
【００４８】
下流配管（22）には、第１電動弁（14）が接続される。第１電動弁（14）は、開度が調節可能に構成される。第１電動弁（14）は、通常動作時に開状態となり、液供給動作時に閉状態となる第１開閉機構を構成する（各動作の詳細は後述する）。
【００４９】
〔ガスライン〕
ガスライン（L2）には、オゾン発生装置（50）（ガス発生装置）と、オゾン分解装置（51）と、三方弁（52）（三路切換弁）とが接続される。ガスライン（L2）は、オゾン供給流路（60）と排気流路（61）とを有している。
【００５０】
オゾン供給流路（60）は、オゾン発生装置（50）の供給口からエジェクタ（30）のガス吸引部（36）に亘るガス流路を構成している。
【００５１】
排気流路（61）は、三方弁（52）とオゾン分解装置（51）の流入部に亘る分岐流路を構成している。
【００５２】
本実施形態のオゾン発生装置（50）は、無性放電式のオゾン発生装置で構成される。しかしながら、オゾン発生装置（50）は、必ずしも無声放電式でなくてもよく、他の放電によりオゾンを発生したり、紫外線によりオゾンを発生したりする装置であってもよい。
【００５３】
三方弁（52）は、３つのポートを有し、ガスライン（L2）の流路を切り換えるように構成される。具体的には、三方弁（52）は、通常動作時において、オゾン発生装置（50）の供給口とエジェクタ（30）のガス吸引部（36）とを連通させ、且つオゾン発生装置（50）の供給口と排気流路（61）とを遮断する第１状態となる。三方弁（52）は、液供給動作時において、オゾン発生装置（50）の供給口と排気流路（61）とを連通させ、且つオゾン発生装置（50）とエジェクタ（30）のガス吸引部（36）とを遮断する第２状態となる。
【００５４】
オゾン供給流路（60）には、エジェクタ（30）のガス吸引部（36）と三方弁（52）との間に圧力センサ（53）が接続されている。圧力センサ（53）は、三方弁（52）とガス吸引部（36）との間の圧力を検出する。詳細は後述するが、ガス吸引部（36）で塩が析出すると、圧力センサ（53）の検出圧力が上昇する。この検出圧力により、ガス吸引部（36）で塩が析出したことを検出できる。つまり、圧力センサ（53）は、ガス吸引部（36）で塩が析出したことを間接的に検出する析出検知手段を構成する。
【００５５】
〈エジェクタ及びその周辺部の詳細構造〉
図２に示すように、実施形態１に係るエジェクタ（30）は、縦向きに配置されている。エジェクタ（30）は、上下に縦長の円筒状のエジェクタ本体部（31）と、エジェクタ本体部（31）の長手方向の一端（上端）に形成される第１フランジ部（32）と、エジェクタ本体部（31）の長手方向の他端（下端）に形成される第２フランジ部（33）とを有している。第１フランジ部（32）は、上流配管（21）の相フランジ（21a）に締結され、第２フランジ部（33）は、下流配管（22）の相フランジ（22a）に締結される。
【００５６】
エジェクタ（30）には、液流入部（34）、ノズル部（35）、ガス吸引部（36）、混合部（37）、ディフューザ部（38）、及び液流出部（39）が設けられている。エジェクタ（30）では、液流入部（34）、ノズル部（35）、混合部（37）、ディフューザ部（38）、及び液流出部（39）が、エジェクタ本体部（31）の長手方向（上下方向）に連続して繋がっている。
【００５７】
液流入部（34）は、第１フランジ部（32）の内部に形成されている。液流入部（34）は、エジェクタ本体部（31）の長手方向の中間部に向かうにつれて内径が小さくなる台形円錐状の流路を構成している。液流入部（34）は、上流配管（21）の流出端と繋がっている。本実施形態のエジェクタ（30）は、液流入部（34）が上部に位置するように配置される。上流配管（21）は、液流入部（34）の上方に接続される。
【００５８】
ノズル部（35）は、液流入部（34）から流入した水の流速を加速させるように構成される。ノズル部（35）は、エジェクタ本体部（31）の長手方向の中間部に向かうにつれて内径が徐々に小さくなる台形円錐状の流路を構成している。ノズル部（35）の先端（下端）には、ノズル部（35）のうち最も内径が小さい円柱状の絞り部（35a）が形成される。
【００５９】
混合部（37）は、上流側混合部（37a）と下流側混合部（37b）とで構成される。上流側混合部（37a）は、絞り部（35a）と接続し、下方に向かうにつれて内径が徐々に小さくなる台形円錐状の流路を構成している。下流側混合部（37b）は、上流側混合部（37a）と接続し、内径が均一な縦長の円柱状の流路を構成している。混合部（37）では、ノズル部（35）から流出した水と、ガス吸引部（36）から吸引されたオゾンとが混合する。これにより、混合部（37）では、水中にオゾンが溶解し、この水がオゾンによって浄化される。
【００６０】
ディフューザ部（38）は、液流出部（39）に向かうにつれて内径が徐々に大きくなる台形円錐状の流路を構成している。ディフューザ部（38）では、水の流速が徐々に低くなり、このことに起因して水が昇圧される。
【００６１】
液流出部（39）は、第２フランジ部（33）の内部に形成されている。液流出部（39）は、エジェクタ本体部（31）の長手方向の中間部に向かうにつれて内径が小さくなる台形円錐状の流路を構成している。液流出部（39）は、下流配管（22）の流入端と繋がっている。
【００６２】
ガス吸引部（36）は、ノズル部（35）の絞り部（35a）の周囲に形成される。ガス吸引部（36）は、オゾン供給流路（60）を構成するガス配管（図示省略）が接続される接続ポート（36a）と、該接続ポート（36a）と連通し、絞り部（35a）を囲むように形成される環状の吸引室（36b）とで構成される。吸引室（36b）は、上流側混合部（37a）と同軸の円環状に形成される。吸引室（36b）の内周面は、上流側混合部（37a）の流入端の内周面よりも小径である。これにより、吸引室（36b）と上流側混合部（37a）とが、円環状の隙間（36c）を介して連通する。
【００６３】
上述したように、本実施形態のエジェクタ（30）は、液流入部（34）が上部に位置するように縦向きに配置されている。このため、ガス吸引部（36）は、上流配管（21）の上流側流路よりも低い位置となる。これにより、ポンプ（12）の停止時には、エジェクタ（30）の内部に上流配管（21）内の水頭圧が作用する。なお、エジェクタ（30）は、ポンプ（12）の停止時に上流配管（21）内の水頭圧が作用するのであれば、例えば斜めに傾斜して配置されていてもよい。
【００６４】
〈コントローラ〉
図１に示すように、制御部（C）は、ポンプ（12）、三方弁（52）、及び第１電動弁（14）等の各機器へ制御信号を出力する出力部（図示省略）を有する。つまり、制御部（C）は、ポンプ（12）のＯＮ／ＯＦＦの切換、三方弁（52）における第１状態と第２状態の切換、第１電動弁（14）の開閉の制御を行う。
【００６５】
具体的に、制御部（C）は、後述する通常動作時にポンプ（12）を運転させる運転手段を構成するとともに、液供給動作時にポンプ（12）を停止させる停止手段を構成する。制御部（C）は、通常動作時に三方弁（52）を第１状態とし、液供給動作時に三方弁（52）を第２状態とする。制御部（C）は、通常動作時に第１電動弁（14）を開状態とし、液供給動作時に第１電動弁（14）を閉状態とする。
【００６６】
制御部（C）は、圧力センサ（53）の検出圧力を示す信号が入力される入力部（図示省略）を有する。制御部（C）は、通常動作時において、圧力センサ（53）の検出圧力が所定値を越えると、液供給動作を実行させる。
【００６７】
制御部（C）は、タイマ部（5）を有している。実施形態１に係るタイマ部（5）は、液供給動作の開始と同時に該液供給動作の実行時間Ｔ１を計測する。制御部（C）は、この実行時間Ｔ１が所定時間（例えば１分）を越えると、液供給動作から通常動作へと動作を切り換える。
【００６８】
実施形態１では、制御部（C）及び圧力センサ（53）が、通常動作と液供給動作とを切り換える動作切換手段を構成している。
【００６９】
−運転動作−
実施形態１に係る水処理装置（10）の運転動作について説明する。水処理装置（10）は、通常動作と液供給動作とを切り換えて行う。
【００７０】
〈通常動作〉
図１及び図２に示す通常動作は、貯留部（11）の被処理水をオゾンによって浄化する運転である。図１に示すように、通常動作では、ポンプ（12）がＯＮ状態となり、オゾン発生装置（50）が運転され、三方弁（52）が第１状態となり、第１電動弁（14）が開状態となる。
【００７１】
貯留部（11）の被処理水は、ポンプ（12）によって汲み上げられ、上流配管（21）を流れてエジェクタ（30）の液流入部（34）に流入する。液流入部（34）に流入した被処理水は、ノズル部（35）を流れることで徐々に流速が増大し加速される。
【００７２】
通常動作では、オゾン発生装置（50）でオゾンが発生し、発生したオゾンがオゾン供給流路（60）を流れる。オゾン供給流路（60）のオゾンは、ノズル部（35）の絞り部（35a）から流出した高速の水を駆動液として、ガス吸引部（36）の接続ポート（36a）に流入する。このオゾンは、吸引室（36b）の全周を流れ、円環状の隙間（36c）を通じて混合部（37）へ吸引される。混合部（37）では、吸引されたオゾンが被処理水と混合し、このオゾンが溶解する。この結果、水中の浄化対象成分が酸化・分解され、この被処理水が清浄化される。
【００７３】
清浄化された水（処理水）は、ディフューザ部（38）、液流出部（39）を順に流れ、下流配管（22）へ流出する。下流配管（22）の処理水は、開状態の第１電動弁（14）を通過し、所定の供給対象へ送られる。
【００７４】
〈通常動作時の塩の析出について〉
上述した通常動作では、図２に示すように、エジェクタ（30）のノズル部（35）を被処理水が流れる。このため、ノズル部（35）の絞り部（35a）から高速で流出した被処理水が、微小な液滴となってガス吸引部（36）に入り込んでしまうことがある。一方、ガス吸引部（36）に吸引されるオゾンは、無声放電式のオゾン発生装置（50）で発生されたものであり、極めて絶対湿度の低いガスである。このような要因から、エジェクタ（30）では、ガス吸引部（36）に付着した海水が蒸発し、海水中に含まれる金属塩（金属イオン）が例えば塩化ナトリウムや塩化カルシウム等の塩（S）として析出することがある。ガス吸引部（36）において、この塩（S）が徐々に肥大化していくと、ガス吸引部（36）を流れるガスの実質的な開口面積が小さくなる可能性がある。あるいは、図３に示すように、ガス吸引部（36）が完全に閉塞してしまう可能性がある。すると、通常動作では、被処理水に所望の流量のオゾンを供給できなくなり、被処理水の浄化性能が低下してしまうという問題が生じる。
【００７５】
そこで、本実施形態の水処理装置（10）は、このような塩（S）の析出に起因する被処理水の浄化性能の低下を未然に回避するために、液供給動作が実行可能に構成される。
【００７６】
〈液供給動作〉
図４及び図５に示す液供給動作は、ガス吸引部（36）で析出した塩（S）を洗い流す運転である。図４に示すように、液供給動作は、上述した通常動作において、圧力センサ（53）の検出圧力が所定値を越えると実行される。つまり、図３に示すように、ガス吸引部（36）で塩（S）が析出すると、オゾン供給流路（60）の内圧が上昇する。従って、制御部（C）は、圧力センサ（53）の検出圧力が所定値を越えると、ガス吸引部（36）で塩（S）が析出したとみなし、通常動作から液供給動作へと運転を切り換える。
【００７７】
実施形態１の液供給動作では、ポンプ（12）がＯＦＦ状態となる。これに対し、オゾン発生装置（50）は停止せず運転が継続される。三方弁（52）が第２状態となり、第１電動弁（14）が閉状態となる。すると、水流路（20）及びエジェクタ（30）の内部の水は、ポンプ（12）によって圧送されないため、ノズル部（35）から高速の水が噴出することもない。これにより、通常動作においては混合部（37）の内圧に対して負圧であったガス吸引部（36）が、液供給動作においては混合部（37）の内圧に対して正圧となる。ガス吸引部（36）には、上流配管（21）に溜まった水の水頭圧がエジェクタ（30）の内部を通じて作用するからである。従って、液供給動作では、上流配管（21）ないしノズル部（35）に溜まった水がガス吸引部（36）を逆流する。すると、ガス吸引部（36）で析出した塩（S）が水圧によってガス流路（60）側へと飛ばされ、更に水中に溶解していく。これにより、液供給動作では、ガス吸引部（36）で析出した塩が除去ないし洗浄される。この結果、ガス吸引部（36）の流路面積の縮小、あるいはガス吸引部（36）の閉塞が解消される。
【００７８】
液供給動作が開始され、タイマ部（5）で計測された液供給動作の実行時間Ｔ１が所定の設定時間（例えば１分）を越えると、制御部（C）は、液供給動作を終了させ通常動作を再開させる。通常動作では、ガス吸引部（36）に溜まった塩（S）が既に除去されているため、被処理水にオゾンを確実に導入でき、処理水の浄化性能を向上できる。
【００７９】
液供給動作では、オゾン発生装置（50）の運転が継続され、三方弁（52）が第２状態となる。このため、オゾン発生装置（50）で発生したオゾンは、排気流路（61）を通じてオゾン分解装置（51）に送られる。オゾン分解装置（51）で分解されたオゾンは、大気中へ放出される。このように、液供給動作では、オゾン発生装置（50）の運転が継続される。このように、オゾン発生装置（50）は、液供給動作へ移行してもその度に停止することがない。従って、オゾン発生装置（50）の停止の際に要する時間や、運転の再開に要する時間を無駄に費やすことがない。
【００８０】
−実施形態１の効果−
実施形態１によれば、液供給動作により、上流配管（21）の水をエジェクタ（30）のガス吸引部（36）に供給できるため、水流路（20）の水を利用して塩を洗い流すことができる。この結果、ガス吸引部（36）のガスの流路面積が小さくなったり、ガス吸引部（36）が閉塞したりすることを速やかに解消でき、所望とする濃度のガスを水中へ導入できる。また、ガス吸引部（36）に他の固形物（例えば魚の糞やゴミ等）が詰まった場合に、この固形物を液供給動作により飛ばすことができ、ガス吸引部（36）の閉塞を解消できる。
【００８１】
液供給動作では、ポンプ（12）を停止し、上流配管（21）の水の水頭差を利用して水をガス吸引部（36）へ供給している。従って、液供給動作に必要な構成の簡素化、液供給動作の操作の簡素化を図ることができ、ひいては水処理装置（10）の低コスト化を図ることができる。従って、液供給動作では、ポンプ（12）を運転せずとも塩（S）を洗浄でき、省エネ性の向上を図ることができる。図５に示すように、エジェクタ（30）は、その液流入部（34）を上側に配置しているため、上流配管（21）に留まった水の水頭圧を利用して多量の水を確実にガス吸引部（36）に導入できる。この結果、塩の洗浄能力が向上する。
【００８２】
液供給動作では、下流配管（22）の第１電動弁（14）を閉状態とするため、エジェクタ（30）及び上流配管（21）において、下流配管（22）の水圧の影響を受けることがない。従って、上流配管（21）の水頭圧を利用してガス吸引部（36）に水を一層確実に供給できる。
【００８３】
圧力センサ（53）の検出圧力により、ガス吸引部（36）における塩（S）の析出を検出すると液供給動作を実行するため、ガス吸引部（36）での塩（S）の肥大化や閉塞を未然に回避できる。液供給動作の実行時間Ｔ１が所定時間を越えると、再び通常動作が実行されるので、速やかに処理水にオゾンを導入して浄化できる。
【００８４】
通常動作から液供給動作へ移行してもオゾン発生装置（50）を停止しないため、オゾン発生装置（50）の停止や運転の再開に要する時間を無駄に費やすことを防止できる。また、液供給動作では、オゾン発生装置（50）から発生したオゾンをオゾン分解装置（51）で除去するため、高濃度のオゾンを大気中に放出してしまうことも防止できる。
【００８５】
本実施形態では、ガス発生装置として無声放電式のオゾン発生装置（50）が用いられる。オゾン発生装置（50）は無声放電によりオゾンを生成し、このオゾンがガス流路（60）を通じてエジェクタ（30）のガス吸引部（36）に吸引される。エジェクタ（30）では、水中にオゾンが導入されることで、この水が浄化される。
【００８６】
この無声放電式のオゾン発生装置（50）は、比較的乾燥した空気ないし酸素を原料としてオゾンが生成される。処理されるガスの湿度が高いと所望とする放電を行うことができないからである。従って、ガス吸引部（36）に供給されるオゾンの湿度は極めて低い状態となる。通常運転では、このように極めて乾燥したオゾンがガス吸引部（36）を流れるため、ガス吸引部（36）に水が付着すると、この水が直ぐに蒸発し、塩が析出し易い。これに対し、本実施形態では、液供給動作により、このように塩の析出を速やかに解消できる。
【００８７】
通常動作から液供給動作へ移行してもオゾン発生装置（50）は停止せず、運転を継続する。オゾン発生装置（50）を一度停止すると、該オゾン発生装置（50）を完全に停止させたり、完全に停止したオゾン発生装置（50）を再起動させたりするまでに比較的長い時間がかかる。これに対し、本実施形態では、通常動作から液供給動作へ移行してもオゾン発生装置（50）が停止しないので、その後の通常動作への移行を速やかに行うことができる。一方、オゾン発生装置（50）の運転を継続すると、オゾン発生装置（50）からオゾンが連続的に発生してしまう。そこで、本実施形態では、オゾン発生装置（50）で発生させたオゾンをオゾン分解装置（51）によって分解する。これにより、高濃度のオゾンが大気中へ放出されてしまうことを回避できる。
【００８８】
本実施形態では、被処理水として海水が用いられる。海水中には、高濃度のナトリウムイオン、塩化物イオン、その他の金属塩（金属イオン）が含まれる。このため、ガス吸引部（36）に海水が付着すると、ガス吸引部（36）では、塩が極めて析出し易くなる。これに対し、本実施形態では、液供給動作により、このように塩の析出を速やかに解消できる。
【００８９】
《発明の実施形態２》
実施形態２に係る水処理装置（10）は、実施形態１と構成が異なる。以下には、主として実施形態１と構成が異なる点について説明する。
【００９０】
図６に示すように、実施形態２の水処理装置（10）は、第１流路切換部（70）を備えている。第１流路切換部（70）は、第１分流路（71）と第１電磁弁（72）とを有している。
【００９１】
第１分流路（71）は、水流路（20）におけるエジェクタ（30）の上流側の流路と、ガス流路とを繋いでいる。具体的に、第１分流路（71）の一端は、上流配管（21）における第１逆止弁（13）の下流側に繋がっている。第１分流路（71）の他端は、オゾン供給流路（60）における三方弁（52）の下流側に繋がっている。
【００９２】
第１電磁弁（72）は、開閉弁で構成され、第１分流路（71）に接続される。第１電磁弁（72）は、通常動作時に閉状態となり、液供給動作時に開状態となる第２開閉機構を構成する。
【００９３】
実施形態２のオゾン供給流路（60）には、第１分流路（71）の接続端と三方弁（52）との間に第２逆止弁（73）が接続される。第２逆止弁（73）は、オゾン発生装置（50）からエジェクタ（30）へ向かう水の流れを許容し、その逆の方向の流れを禁止する。なお、第２逆止弁（73）を省略した構成としてもよい。
【００９４】
実施形態２に係るエジェクタ（30）は、横向きに配置されている。つまり、例えば図６に示すように、ガス吸引部（36）はエジェクタ（30）の上部に位置し、オゾンが上側からガス吸引部（36）に導入される。
【００９５】
実施形態２の制御部（C）は、通常動作時と液供給動作時との双方でポンプ（12）を運転させる運転手段を構成する。実施形態２では、制御部（C）、第１流路切換部（70）、及び圧力センサ（53）が、通常動作と液供給動作とを切り換える動作切換手段を構成している。
【００９６】
〈通常動作〉
図６に示す通常動作では、ポンプ（12）がＯＮ状態となり、オゾン発生装置（50）が運転され、三方弁（52）が第１状態となり、第１電磁弁（72）が閉状態となる。
【００９７】
実施形態２の通常動作は、実施形態１と基本的に同じである。つまり、貯留部（11）の被処理水はポンプ（12）によって搬送され、エジェクタ（30）の内部を流れる。同時にオゾン発生装置（50）で発生したオゾンは、オゾン供給流路（60）を流れ、エジェクタ（30）のガス吸引部（36）に吸引される。エジェクタ（30）の混合部（37）では、被処理水中にオゾンが導入され、この被処理水の清浄化が図られる。
【００９８】
〈液供給動作〉
図７に示す液供給動作では、通常動作から液供給動作へ切り換わっても、ポンプ（12）及びオゾン発生装置（50）の運転が継続される。三方弁（52）が第２状態となり、第１電磁弁（72）が開状態となる。
【００９９】
実施形態２の液供給動作では、貯留部（11）の水がポンプ（12）に搬送され、上流配管（21）を流れる。上流配管（21）の水は、一部が第１分流路（71）に分流し、残りがエジェクタ（30）の液流入部（34）に流入する。第１分流路（71）に分流した水は、第１電磁弁（72）を通過し、オゾン供給流路（60）へ流出する。これにより、ガス吸引部（36）に水圧が作用し、ガス吸引部（36）に析出した塩がエジェクタ（30）の混合部（37）へ洗い流される。
【０１００】
エジェクタ（30）では、液流入部（34）、ノズル部（35）を順に通過し、混合部（37）に流入した水と、オゾン供給流路（60）、ガス吸引部（36）を順に通過し、混合部（37）に流入した水とが合流する。合流後の水は、エジェクタ（30）の液流出部（39）を通過し、下流配管（22）へ流出する。
【０１０１】
液供給動作では、オゾン発生装置（50）の運転が継続され、三方弁（52）が第２状態となる。このため、オゾン発生装置（50）で発生したオゾンは、排気流路（61）を通じてオゾン分解装置（51）に送られる。これにより、実施形態１と同様、オゾン発生装置（50）を停止することなく、オゾンを分解・除去できる。
【０１０２】
−実施形態２の効果−
実施形態２によれば、液供給動作において、上流配管（21）の水をオゾン供給流路（60）とエジェクタ（30）の液流入部（34）とに分流させ、ガス吸引部（36）の塩を洗浄できる。これにより、各流路を流れる水の圧力損失の増大を抑制でき、ポンプ動力を低減できる。
【０１０３】
実施形態２によれば、オゾン供給流路（60）に第２逆止弁（73）を設け、エジェクタ（30）からオゾン発生装置（50）への水の流れを禁止している。この結果、液供給動作中に水がオゾン発生装置（50）やオゾン分解装置（51）側へ流れるのを確実に防止でき、これらの装置（50,51）の故障を確実に防止できる。
【０１０４】
《発明の実施形態３》
実施形態３に係る水処理装置（10）は、実施形態１及び２と構成が異なる。以下には、主として実施形態１及び２と構成が異なる点について説明する。
【０１０５】
図８に示すように、実施形態３の水処理装置（10）は、第２流路切換部（80）を備えている。第２流路切換部（80）は、第２分流路（81）と第２電磁弁（82）と第２電動弁（83）とを備えている。
【０１０６】
第２分流路（81）は、水流路（20）におけるエジェクタ（30）の下流側の流路と、ガス流路とを繋いでいる。具体的に、第２分流路（81）の一端は、下流配管（22）における第２電動弁（83）の下流側に繋がっている。第２分流路（81）の他端は、オゾン供給流路（60）における三方弁（52）の下流側に繋がっている。
【０１０７】
第２電磁弁（82）は、開閉弁で構成され、第２分流路（81）に接続される。第２電磁弁（82）は、通常動作時に閉状態となり、液供給動作時に開状態となる。
【０１０８】
第２電動弁（83）は、通常動作時に開状態となり、液供給動作時に閉状態となる第３開閉機構を構成する。
【０１０９】
実施形態３のオゾン供給流路（60）には、第２分流路（81）の接続端と三方弁（52）との間に第２逆止弁（73）が接続される。第２逆止弁（73）は、オゾン発生装置（50）からエジェクタ（30）へ向かう水の流れを許容し、その逆の方向の流れを禁止する。なお、第２逆止弁（73）を省略した構成としてもよい。
【０１１０】
実施形態３の制御部（C）は、通常動作時と液供給同時との双方でポンプ（12）を運転する運転手段を構成する。実施形態３では、制御部（C）、第２流路切換部（80）、及び圧力センサ（53）が、通常動作と液供給動作とを切り換える動作切換手段を構成している。
【０１１１】
〈通常動作〉
図８に示す通常動作では、ポンプ（12）がＯＮ状態となり、オゾン発生装置（50）が運転され、三方弁（52）が第１状態となり、第２電磁弁（82）が閉状態となり、第２電動弁（83）が開状態となる。
【０１１２】
実施形態３の通常動作は、実施形態１や２と基本的に同じである。つまり、貯留部（11）の水はポンプ（12）によって搬送され、エジェクタ（30）の内部を流れる。同時にオゾン発生装置（50）で発生したオゾンは、オゾン供給流路（60）を流れ、エジェクタ（30）のガス吸引部（36）に吸引される。エジェクタ（30）の混合部（37）では、水中にオゾンが導入され、この水の清浄化が図られる。
【０１１３】
〈液供給動作〉
図９に示す液供給動作では、通常動作から液供給動作へ切り換わっても、ポンプ（12）及びオゾン発生装置（50）の運転が継続される。三方弁（52）が第２状態となり、第２電磁弁（82）が開状態となり、第２電動弁（83）が閉状態となる。
【０１１４】
実施形態３の液供給動作では、貯留部（11）の水がポンプ（12）に搬送され、エジェクタ（30）の液流入部（34）に流入する。エジェクタ（30）の下流側では、第２電動弁（83）が閉状態となっている。このため、エジェクタ（30）のノズル部（35）を流出した水は、隙間（36c）を介してガス吸引部（36）へ送られ、ガス吸引部（36）で析出した塩の洗浄に利用される。この水は、オゾン供給流路（60）を介して第２分流路（81）へ送られ、下流配管（22）へ流出する。
【０１１５】
液供給動作では、オゾン発生装置（50）の運転が継続され、三方弁（52）が第２状態となる。このため、オゾン発生装置（50）で発生したオゾンは、排気流路（61）を通じてオゾン分解装置（51）に送られる。これにより、実施形態１や２と同様、オゾン発生装置（50）を停止することなく、オゾンを分解・除去できる。
【０１１６】
−実施形態３の効果−
実施形態３によれば、エジェクタ（30）内に導入した水の全量が、ガス吸引部（36）の塩の洗浄に利用される。これにより、比較的高速ないし大流量の水により塩を洗浄でき、この塩の洗浄効果を向上できる。
【０１１７】
実施形態３によれば、オゾン供給流路（60）に第２逆止弁（73）を設け、エジェクタ（30）からオゾン発生装置（50）への水の流れを禁止している。この結果、液供給動作中に水がオゾン発生装置（50）やオゾン分解装置（51）側へ流れるのを確実に防止でき、これらの装置（50,51）の故障を確実に防止できる。
【０１１８】
《その他の実施形態》
水処理装置（10）では、ポンプ（12）の運転の開始や、ポンプ（12）の運転の停止を制御部（C）により自動的に実行させている。つまり、上述した各実施形態の運転手段や停止手段は、ポンプ（12）を自動で制御するものである。しかし、運転手段は、例えば操作部を有し、人が手動により操作してポンプ（12）を運転させるものであってもよい。また、停止手段は、例えば操作部を有し、人が手動により操作してポンプ（12）を停止させるものであってもよい。
【０１１９】
水処理装置（10）の処理対象は、海水でなくてもよい。水処理装置（10）の処理対象は、上述した金属塩を含有する水であれば、他の水（例えば工場排水や冷却水等）であってもよい。
【０１２０】
水処理装置（10）は、所定の被処理水を浄化し、処理水を系外へ放出する一過式であってもよいし、循環する被処理水を適宜浄化する循環式であってもよい。
【０１２１】
ガス発生装置（50）は、オゾン発生装置でなくてもよい。ガス発生装置（50）は、例えば酸素や空気を発生し、これらのガスをエジェクタ（30）内の水中に導入する装置であってもよい。
【０１２２】
第１〜第３の開閉機構（14,72,83）は、流路を開閉する機構を有するものであればよく、電磁弁、電動弁、あるいは他の流路開閉手段であってもよい。
【０１２３】
ガス吸引部（36）で塩が析出したことを検出する析出検知手段は、圧力センサ（53）でなくてもよい。例えばガスの流量を計測する流量計やガスの流速を計測する流速計であってもよいし、他の方式であってもよい。
【０１２４】
析出検知手段（53）を利用して、液供給動作から通常動作への移行の判定を行ってもよい。例えば液供給動作において、圧力センサ（53）の検出圧力が所定値以下になったり、圧力センサ（53）の検出圧力の減少変化量が所定値を越えたりすると、液供給動作を終了し、通常動作を再開するようにしてもよい。
【０１２５】
図１０に示すように、析出検知手段（例えば圧力センサ（53））を省略した構成としてもよい。なお、図１０の例では、実施形態１において析出検知手段を省略しているが、実施形態２や３において析出検知手段を省略してもよい。
【０１２６】
図１０の例では、制御部（C）にタイマ部（5）が設けられている。タイマ部（5）は、液供給動作と通常動作の各実行時間を計測する。例えば通常動作の実行時間Ｔ２が所定時間（例えば２４時間）を越える条件（条件Ａ）が成立すると、ガス吸引部（36）で塩が析出する可能性が高いと判断できる。そこで、制御部（C）は、上記条件Ａが成立すると、通常動作を終了し液供給動作を開始させる。その後、液供給動作の実行時間Ｔ１が所定時間（例えば１分）を越える条件（条件Ｂ）が成立すると、ガス吸引部（36）の塩が洗浄されたと判断できる。そこで、制御部（C）は、上記条件Ｂが成立すると、液供給動作を終了し通常動作を再開させる。
【０１２７】
図１０の構成では、析出検知手段（53）を省略できるので、部品点数の削減、水処理装置（10）の低コスト化を図ることができる。
【０１２８】
更に、上述した析出検知手段（53）と、図１０のタイマ部（5）とを組み合わせた構成としてもよい。つまり、析出検知手段（53）で塩の析出を検知するか、タイマ部（5）で計測した通常動作の実行時間が所定時間Ｔ２を越えると、液供給動作を実行するようにしてもよい。
【産業上の利用可能性】
【０１２９】
以上説明したように、本発明は、水処理装置について有用である。
【符号の説明】
【０１３０】
5     タイマ部
10    水処理装置
12    ポンプ
14    第１電動弁（第１開閉機構）
20    水流路
21    上流配管（上流側流路）
22    下流配管（下流側流路）
30    エジェクタ
34    液流入部
35    ノズル部
36    ガス吸引部
39    液流出部
50    オゾン発生装置（ガス発生装置）
53    圧力センサ（析出検知手段）
60    オゾン供給流路（ガス流路）
70    第１流路切換部
71    第１分流路
72    第１電磁弁（第２開閉機構）
80    第２流路切換部
81    第２分流路
83    第２電動弁（第３開閉機構）
C     運転手段、停止手段（制御部）
【図１】
0006543493.tif 000002
【図２】
0006543493.tif 000003
【図３】
0006543493.tif 000004
【図４】
0006543493.tif 000005
【図５】
0006543493.tif 000006
【図６】
0006543493.tif 000007
【図７】
0006543493.tif 000008
【図８】
0006543493.tif 000009
【図９】
0006543493.tif 000010
【図１０】
0006543493.tif 000011